【手続補正書】
【提出日】平成17年4月7日(2005.4.7)
【手続補正１】
【補正対象書類名】明細書
【補正対象項目名】発明の名称
【補正方法】変更
【補正の内容】
【発明の名称】画像形成システムおよび制御方法
【手続補正２】
【補正対象書類名】明細書
【補正対象項目名】特許請求の範囲
【補正方法】変更
【補正の内容】
【特許請求の範囲】
【請求項１】
画像形成装置本体の印字シーケンスを制御する第１の制御手段と、
前記画像形成装置本体に対してオプション接続される複数のオプション装置を前記第１の制御手段との通信により統括制御する第２の制御手段と、
前記第１の制御手段から指示される印字シーケンスに基づいて各オプション装置に対するスケジュールを前記第２の制御手段に指定する指定手段と、
前記第２の制御手段が各オプション装置との通信により検知する各オプション装置の状態に基づいて各オプション装置に対して所定のテスト処理を実行させるべきか否かを判断する判断手段とを有し、
前記指定手段は、前記判断手段が前記所定のテスト処理を実行させるべきであると判断した場合に、各オプション装置に対する前記所定のテスト処理のサブスケジュールを前記第２の制御手段に指定することを特徴とする画像形成システム。
【請求項２】
前記複数のオプション装置は、画像形成済のシートをステイプルするためのステイプル手段を有する排紙オプション装置を含み、
前記判断手段は、前記第２の制御手段が各オプション装置との通信により検知する各オプション装置の状態変化に基づいて前記排紙オプション装置を監視して、ステイプル詳細情報を逐次生成し、該生成されるステイプル詳細情報に基づいてテストステイプル処理を実行させるべきか否かを判断し、
前記指定手段は、前記判断手段がテストステイプル処理を実行させるべきであると判断した場合に、前記排紙オプション装置に対するテストステイプル処理の指定を含むサブスケジュールを前記第２の制御手段に指定することを特徴とする請求項１記載の画像形成システム。
【請求項３】
前記指定手段により指定されたスケジュールを保持する保持手段を設け、
前記指定手段は、前記第２の制御手段が各オプション装置との通信により検知する前記所定のテスト処理の終了に基づいて、前記保持手段に保持されたスケジュールを前記第２の制御手段に再指定することを特徴とする請求項１又は２記載の画像形成システム。
【請求項４】
前記オプション装置は、オプション装置の拡張情報を格納する格納手段と、
オプション装置の状態情報を検知する検知手段と、
前記格納手段に格納される拡張情報及び前記検知手段に検知される状態情報を前記第２の制御手段に送信し、前記第２の制御手段から転送される前記拡張処理スケジュールに基づく前記オプション装置の拡張処理および前記第２の制御手段から転送されるサブスケジュールに基づく前記オプション装置のテスト処理を制御する第３の制御手段とを有することを特徴とする請求項１乃至３の何れかに記載の画像形成システム。
【請求項５】
前記複数のオプション装置は、シートを給紙するための複数装着可能な給紙オプション装置，画像形成済みのシートを積載するための複数の排紙口を有する排紙オプション装置を含み、
前記指定手段は、前記給紙オプション装置に対するシートの給紙元の指定，前記排紙オプション装置に対する排紙口指定を含む拡張処理スケジュールを前記第２の制御手段に指定することを特徴とする請求項１乃至４の何れかに記載の画像形成システム。
【請求項６】
前記複数のオプション装置は、シートをステイプルするためのステイプル手段と、
シートを作成するための複数の排紙口と、
シートを反転させて排紙する反転手段と、
シートを所定方向にずらして前記排紙口に排出するシフト手段と、
前記ステイプル手段のステイプル針残量を検知する第１の検知手段と、
前記各排紙口に排紙されたシート積載量を検知する第２の検知手段とを有する排紙オプション装置を含むことを特徴とする請求項１乃至５の何れかに記載の画像形成システム。
【請求項７】
シートに画像を形成する画像形成装置を有する画像形成システムであって、
シートに対するステイプル処理を、ステイプル針を用いて、実行するステイプル手段と、
前記ステイプル手段に対するステイプル針の補充がユーザによりなされた後に、ユーザから所定の指示を受付可能にする入力手段と、
前記指示がなされたことに応じて、前記画像形成装置の給紙部から前記シートを搬送させ、該シートに対する所定のステイプル処理を前記ステイプル手段により実行させる制御手段と、
を有することを特徴とする画像形成システム。
【請求項８】
シートに画像を形成する画像形成装置を有する画像形成システムであって、
シートに対するステイプル処理を、ステイプル針を用いて、実行するステイプル手段と、
前記ステイプル手段に対するステイプル針の補充がユーザによりなされたことを検知する検知手段と、
前記検知に応じて、前記画像形成装置の給紙部からシートを搬送させ、該シートに対する所定のステイプル処理を前記ステイプル手段に実行させる制御手段と、
を有することを特徴とする画像形成システム。
【請求項９】
前記制御手段は、前記所定のステイプル処理として、給紙部から前記ステイプル手段に対して搬送させた１枚のシートに対してステイプル処理を実行させることを特徴とする請求項７又８記載の画像形成システム。
【請求項１０】
前記制御手段は、前記所定のステイプル処理として、給紙部から前記ステイプル手段に対して搬送させた１枚のシートに対してステイプル処理を複数回実行させることを特徴とする請求項７乃至９の何れかに記載の画像形成システム。
【請求項１１】
前記制御手段は、前記所定のステイプル処理として、前記ステイプル手段によるステイプル処理を複数回実行させ、且つ、ステイプル処理を１回実行する毎に、綴じ位置を変更させることを特徴とする請求項７乃至１０の何れかに記載の画像形成システム。
【請求項１２】
シートに対するステイプル処理を実行可能なステイプル装置及びシートに対する画像形成処理を実行可能な画像形成装置のうちの少なくとも何れかを含む、シートに対する処理が可能なシート処理装置を有するシステムの制御方法であって、
入力されたジョブに応じて、前記シート処理装置に対するシート処理の実行指示を少なくとも複数シート分予約する一方で、該ジョブを実行できない場合には、前記予約された指示に基づいたシート処理を前記シート処理装置により実行させるよりも優先して、前記シート処理装置に所定の処理を実行させることを特徴とする制御方法。
【請求項１３】
ステイプル処理の実行指示が予約されたステイプルジョブを、前記ステイプル装置のステイプル針が無いことが原因で、実行不可能である場合には、前記ステイプル装置に対するステイプル針の補充に応じて、前記予約されたステイプル処理の実行よりも優先して前記ステイプル装置に所定の処理を実行させることを特徴とする請求項１２記載の制御方法。
【請求項１４】
前記所定の処理として、前記ステイプル装置に給送されるシートに対して所定回数のステイプル処理を実行させるテストステイプル処理を実行させることを特徴とする請求項１３記載の制御方法。
【請求項１５】
前記画像形成装置により画像形成処理の実行指示が予約された画像形成ジョブを、前記画像形成装置の画像形成履歴に基づいて、実行不可能な状態であると判定した場合に、前記予約された画像形成処理の実行よりも優先して前記画像形成装置に所定の処理を実行させることを特徴とする請求項１２乃至１４の何れかに記載の制御方法。
【請求項１６】
前記画像形成履歴は、前記画像形成装置による画像形成処理の実行回数，画像形成処理に伴うシートジャム発生回数を含むことを特徴とする請求項１５記載の制御方法。
【請求項１７】
前記所定の処理として、画像形成されたシートを前記画像形成装置に給送させるクリーニング処理を含むことを特徴とする請求項１５又は１６記載の制御方法。
【請求項１８】
前記所定の処理として、前記画像形成装置に所定の画像形成処理を実行させ、該画像形成されたシートを前記画像形成装置に給送させるクリーニング処理を含むことを特徴とする請求項１５乃至１７の何れかに記載の制御方法。
【請求項１９】
前記所定の処理が優先される場合には、前記予約された指示を一旦キャンセルして、前記所定の処理を実行し、該所定の処理が完了後に、該一旦キャンセルした前記指示を再投入することを特徴とする請求項１２乃至１８の何れかに記載の制御方法。
【請求項２０】
少なくとも画像形成装置を具備する画像形成システムの制御方法であって、
外部装置から入力されたジョブに応じた画像形成処理を前記画像形成装置により実行可能とする一方で、前記画像形成装置より所定回数分の画像形成処理を実行した場合、及び、前記画像形成装置より所定回数分のシートジャムが発生した場合の、少なくとも何れかの場合に、前記外部装置から入力されたジョブに基づいた画像形成処理よりも優先して、所定の処理として、前記画像形成装置によりクリーニング処理を実行可能にすることを特徴とする制御方法。
【請求項２１】
前記クリーニング処理として、前記外部装置からのジョブに基づいた画像とは異なるクリーニング処理用の所定画像をシート上に形成させることを特徴とする請求項２０記載の制御方法。
【請求項２２】
画像形成装置と、前記画像形成装置からのシートに対するステイプル処理を、ステイプル針を用いて、実行するシート処理装置と、を有する画像形成システムの制御方法であって、
前記シート処理装置に対してステイプル針が補充された場合に、所定の処理として、前記画像形成装置からのシートに対して所定回数分のステイプル処理を前記シート処理装置により実行させることを特徴とする制御方法。
【請求項２３】
画像形成装置と、前記画像形成装置からのシートに対するステイプル処理を、ステイプル針を用いて、実行するシート処理装置と、を有する画像形成システムの制御方法であって、
外部装置から入力されたジョブに基づいた画像を前記画像形成装置によりシートに形成可能とする一方で、前記シート処理装置に対してステイプル針の補充がなされた場合に、所定の処理として、前記外部装置から入力されたジョブに基づいた画像が形成されていないシートに対して所定回数分のステイプル処理を前記シート処理装置に実行させることを特徴とする制御方法。
【請求項２４】
前記所定の処理として、前記シートに外部装置から入力されたジョブに基づいた画像とは異なる所定の画像を形成させることを特徴とする請求項２２又は２３機際の制御方法。
【請求項２５】
前記所定の処理として、白紙のシートに対して前記所定回数分のステイプル処理を前記シート処理装置に実行させることを特徴とする請求項２２又は２３記載の制御方法。
【請求項２６】
外部装置からのジョブに基づいた画像形成処理に優先して前記所定の処理を実行させる場合には、前記所定の処理が完了後に、該外部装置からのジョブに基づいた画像形成処理を実行可能にすることを特徴とする請求項２０乃至２５の何れかに記載の制御方法。
【手続補正３】
【補正対象書類名】明細書
【補正対象項目名】０００９
【補正方法】変更
【補正の内容】
【０００９】
本発明は、上記の問題点を解決するためになされたもので、本発明に係る第１の発明〜第２６の発明の目的は、入力される印刷情報を解析し、画像形成装置本体の印字シーケンスに基づいて画像形成装置本体に対してオプション接続される複数のオプション装置に対してスケジュールを指定し、各オプション装置との通信により取得する各オプション装置の状態に基づいて各オプション装置に対して所定のテスト処理を行うべきか否かを判断し、前記所定のテスト処理を行うべきであると判断された場合に、前記各オプション装置に対する前記所定のテスト処理のためのサブスケジュールを指定することにより、簡単な構成で接続される各オプション装置の状態に基づくテスト処理を行うことにより各オプション装置固有の各オプション作動状態を最適化して、ユーザが意図するオプション機能を使用した画像形成結果を誤りなく取得することができる画像形成システムおよび制御方法を提供することである。
【手続補正４】
【補正対象書類名】明細書
【補正対象項目名】００１０
【補正方法】変更
【補正の内容】
【００１０】
【問題点を解決するための手段】
本発明に係る第１の発明は、画像形成装置（図１に示すレーザビームプリンタ１０２）本体の印字シーケンスを制御する第１の制御手段（図４に示すビデオコントローラ１０３のＣＰＵ４０９がＲＯＭ４０４に格納されるプログラムに基づいてシーケンス制御する）と、前記画像形成装置本体に対してオプション接続される複数のオプション装置（図１に示す給紙オプション装置１０７，排紙オプション装置１０８）を前記第１の制御手段との通信により統括制御する第２の制御手段（オプションコントローラ部１０６）と、前記第１の制御手段から指示される印字シーケンスに基づいて各オプション装置に対するスケジュールを前記第２の制御手段に指定する指定手段（図４に示すビデオコントローラ１０３のＣＰＵ４０９がＲＯＭ４０４に格納されるプログラムに基づいて指定制御する）と、
前記第２の制御手段が各オプション装置との通信により検知する各オプション装置の状態に基づいて各オプション装置に対して所定のテスト処理を実行させるべきか否かを判断する判断手段（図４に示すビデオコントローラ１０３のＣＰＵ４０９がＲＯＭ４０４に格納されるプログラムに基づいて判断制御する）とを有し、前記指定手段は、前記判断手段が前記所定のテスト処理を実行させるべきであると判断した場合に、各オプション装置に対する前記所定のテスト処理（テストステイプル処理）のサブスケジュールを前記第２の制御手段に指定するものである。
【手続補正５】
【補正対象書類名】明細書
【補正対象項目名】００１１
【補正方法】変更
【補正の内容】
【００１１】
本発明に係る第２の発明は、前記複数のオプション装置は、画像形成済のシートをステイプルするためのステイプル手段（図２に示すステイプラ２５９）を有する排紙オプション装置（図１，図２に示す排紙オプション装置１０８）を含み、前記判断手段（図４に示すＣＰＵ４０９）は、前記第２の制御手段（図１に示すオプションコントローラ部１０６）が各オプション装置との通信により検知する各オプション装置の状態変化に基づいて前記排紙オプション装置１０８を監視して、ステイプル詳細情報（図８に示すステイプルジョブ禁止ビットＡ，テストステイプル要求ビットＢ，針なしセンサ情報ビットＣ）を逐次生成し、該生成されるステイプル詳細情報に基づいてテストステイプル処理を実行させるべきか否かを判断し、前記指定手段（図４に示すＣＰＵ４０９）は、前記判断手段がテストステイプル処理を実行させるべきであると判断した場合に、前記排紙オプション装置１０８に対するテストステイプル処理の指定を含むサブスケジュールを前記第２の制御手段（図１に示すオプションコントローラ部１０６）に指定するものである。
【手続補正６】
【補正対象書類名】明細書
【補正対象項目名】００１２
【補正方法】変更
【補正の内容】
【００１２】
本発明に係る第３の発明は、前記指定手段（図４に示すＣＰＵ４０９）により指定されたスケジュールを保持する保持手段（図４に示すビデオコントローラ１０３のＲＡＭ４０７）を設け、前記指定手段は、前記第２の制御手段（オプションコントローラ部１０６）が各オプション装置との通信により検知する前記所定のテスト処理（テストステイプル処理）の終了に基づいて、前記保持手段に保持されたスケジュールを前記第２の制御手段に再指定するものである。
【手続補正７】
【補正対象書類名】明細書
【補正対象項目名】００１４
【補正方法】変更
【補正の内容】
【００１４】
本発明に係る第５の発明は、前記複数のオプション装置は、シートを給紙するための複数装着可能な給紙オプション装置（図１，図２に示す給紙オプション装置１０７），画像形成済みのシートを積載するための複数の排紙口を有する排紙オプション装置（図１，図２に示す排紙オプション装置１０８）を含み、前記指定手段（図４に示すＣＰＵ４０９）は、前記給紙オプション装置に対するシートの給紙元の指定，前記排紙オプション装置に対する排紙口指定を含む拡張処理スケジュールを前記第２の制御手段（オプションコントローラ部１０６）に指定するものである。
【手続補正８】
【補正対象書類名】明細書
【補正対象項目名】００１５
【補正方法】変更
【補正の内容】
【００１５】
本発明に係る第６の発明は、前記複数のオプション装置は、シートをステイプルするためのステイプル手段（図２に示すステイプラ２５９）と、記録媒体を排紙するための複数の排紙口（図２に示す排紙ビン２５１〜２５３）と、記録媒体を反転させて排紙する反転手段（図２に示すローラ２５６〜２５８）と、記録媒体の載置域を所定方向にずらして排紙するシフト手段（図２に示すステイプラ２５９）と、前記ステイプル手段のステイプル針残量を検知する第１の検知手段（図２に示すステイプル針検知センサ２５９Ｓ）と、前記各排紙口に排紙された記録媒体の積載量を検知する第２の検知手段（排紙積載量検知センサ２６０）とを有する排紙オプション装置（図１，図２に示す排紙オプション装置１０８）を含むものである。
【手続補正９】
【補正対象書類名】明細書
【補正対象項目名】００１６
【補正方法】変更
【補正の内容】
【００１６】
本発明に係る第７の発明は、シートに画像を形成する画像形成装置を有する画像形成システムであって、シートに対するステイプル処理を、ステイプル針を用いて、実行するステイプル手段（図２に示すステイプラ２５９）と、前記ステイプル手段に対するステイプル針の補充がユーザによりなされた後に、ユーザから所定の指示を受付可能にする入力手段（図１に示す排紙オプション装置１０８の操作部１０８ｂ上の図示しないステイプル針補充済ボタン）と、前記指示がなされたことに応じて、前記画像形成装置の給紙部からシートを搬送させ、該シートに対する所定のステイプル処理を前記ステイプル手段により実行させる制御手段（図１に示すオプションコントローラ部１０６）とを有するものである。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】変更
【補正の内容】
【００２０】
本発明に係る第８の発明は、シートに画像を形成する画像形成装置を有する画像形成システムであって、シートに対するステイプル処理を、ステイプル針を用いて、実行するステイプル手段（図２に示すステイプラ２５９）と、前記ステイプル手段に対するステイプル針の補充がユーザによりなされたことを検知する検知手段（図２に示すステイプル針残量検知センサ２５９Ｓ）と、前記検知に応じて、前記画像形成装置の給紙部からシートを搬送させ、該シートに対する所定のステイプル処理を前記ステイプル手段に実行させる制御手段（図１に示すオプションコントローラ部１０６）とを有するものである。
【手続補正１４】
【補正対象書類名】明細書
【補正対象項目名】００２１
【補正方法】変更
【補正の内容】
【００２１】
本発明に係る第９の発明は、前記制御手段（図１に示すオプションコントローラ部１０６）は、前記所定のステイプル処理として、給紙部から前記ステイプル手段に対して搬送させた１枚のシートに対してステイプル処理を実行させるものである。
【手続補正１５】
【補正対象書類名】明細書
【補正対象項目名】００２２
【補正方法】変更
【補正の内容】
【００２２】
本発明に係る第１０の発明は、前記制御手段（図１に示すオプションコントローラ部１０６）は、前記所定のステイプル処理として、給紙部から前記ステイプル手段に対して搬送させた１枚のシートに対してステイプル処理を複数回実行させるものである。
【手続補正１６】
【補正対象書類名】明細書
【補正対象項目名】００２３
【補正方法】変更
【補正の内容】
【００２３】
本発明に係る第１１の発明は、前記制御手段は、前記所定のステイプル処理として、前記ステイプル手段によるステイプル処理を複数回実行させ、且つ、ステイプル処理を１回実行する毎に、綴じ位置を変更させるものである。
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】変更
【補正の内容】
【００３４】
本発明に係る第１２の発明は、シートに対するステイプル処理を実行可能なステイプル装置及びシートに対する画像形成処理を実行可能な画像形成装置のうちの少なくとも何れかを含む、シートに対する処理が可能なシート処理装置を有するシステムの制御方法であって、入力されたジョブに応じて、前記シート処理装置に対するシート処理の実行指示を少なくとも複数シート分予約する一方で、該ジョブを実行できない場合には、前記予約された指示に基づいたシート処理を前記シート処理装置により実行させるよりも優先して、前記シート処理装置に所定の処理を実行させるものである。
本発明に係る第１３の発明は、ステイプル処理の実行指示が予約されたステイプルジョブを、前記ステイプル装置のステイプル針が無いことが原因で、実行不可能である場合には、前記ステイプル装置に対するステイプル針の補充に応じて、前記予約されたステイプル処理の実行よりも優先して前記ステイプル装置に所定の処理を実行させることを特徴とする。
本発明に係る第１４の発明は、前記所定の処理として、前記ステイプル装置に給送されるシートに対して所定回数のステイプル処理を実行させるテストステイプル処理を実行させることを特徴とする。
本発明に係る第１５の発明は、前記画像形成装置により画像形成処理の実行指示が予約された画像形成ジョブを、前記画像形成装置の画像形成履歴に基づいて、実行不可能な状態であると判定した場合に、前記予約された画像形成処理の実行よりも優先して前記画像形成装置に所定の処理を実行させることを特徴とする。
本発明に係る第１６の発明は、前記画像形成履歴は、前記画像形成装置による画像形成処理の実行回数，画像形成処理に伴うシートジャム発生回数を含むことを特徴とする。
本発明に係る第１７の発明は、前記所定の処理として、画像形成されたシートを前記画像形成装置に給送させるクリーニング処理を含むことを特徴とする。
本発明に係る第１８の発明は、前記所定の処理として、前記画像形成装置に所定の画像形成処理を実行させ、該画像形成されたシートを前記画像形成装置に給送させるクリーニング処理を含むことを特徴とする。
本発明に係る第１９の発明は、前記所定の処理が優先される場合には、前記予約された指示を一旦キャンセルして、前記所定の処理を実行し、該所定の処理が完了後に、該一旦キャンセルした前記指示を再投入することを特徴とする。
本発明に係る第２０の発明は、少なくとも画像形成装置を具備する画像形成システムの制御方法であって、外部装置から入力されたジョブに応じた画像形成処理を前記画像形成装置により実行可能とする一方で、前記画像形成装置より所定回数分の画像形成処理を実行した場合、及び、前記画像形成装置より所定回数分のシートジャムが発生した場合の、少なくとも何れかの場合に、前記外部装置から入力されたジョブに基づいた画像形成処理よりも優先して、所定の処理として、前記画像形成装置によりクリーニング処理を実行可能にすることを特徴とする。
本発明に係る第２１の発明は、前記クリーニング処理として、前記外部装置からのジョブに基づいた画像とは異なるクリーニング処理用の所定画像をシート上に形成させることを特徴とする。
本発明に係る第２２の発明は、画像形成装置と、前記画像形成装置からのシートに対するステイプル処理を、ステイプル針を用いて、実行するシート処理装置と、を有する画像形成システムの制御方法であって、前記シート処理装置に対してステイプル針が補充された場合に、所定の処理として、前記画像形成装置からのシートに対して所定回数分のステイプル処理を前記シート処理装置により実行させることを特徴とする。
本発明に係る第２３の発明は、画像形成装置と、前記画像形成装置からのシートに対するステイプル処理を、ステイプル針を用いて、実行するシート処理装置と、を有する画像形成システムの制御方法であって、外部装置から入力されたジョブに基づいた画像を前記画像形成装置によりシートに形成可能とする一方で、前記シート処理装置に対してステイプル針の補充がなされた場合に、所定の処理として、前記外部装置から入力されたジョブに基づいた画像が形成されていないシートに対して所定回数分のステイプル処理を前記シート処理装置に実行させることを特徴とする。
本発明に係る第２４の発明は、前記所定の処理として、前記シートに外部装置から入力されたジョブに基づいた画像とは異なる所定の画像を形成させることを特徴とする。
本発明に係る第２５の発明は、前記所定の処理として、白紙のシートに対して前記所定回数分のステイプル処理を前記シート処理装置に実行させることを特徴とする。
本発明に係る第２６の発明は、外部装置からのジョブに基づいた画像形成処理に優先して前記所定の処理を実行させる場合には、前記所定の処理が完了後に、該外部装置からのジョブに基づいた画像形成処理を実行可能にすることを特徴とする。
【手続補正２８】
【補正対象書類名】明細書
【補正対象項目名】０２２０
【補正方法】変更
【補正の内容】
【０２２０】
【発明の効果】
以上説明したように、請求項１記載の発明によれば、画像形成装置本体の印字シーケンスを制御する第１の制御手段と、前記画像形成装置本体に対してオプション接続される複数のオプション装置を前記第１の制御手段との通信により統括制御する第２の制御手段と、前記第１の制御手段から指示される印字シーケンスに基づいて各オプション装置に対するスケジュールを前記第２の制御手段に指定する指定手段と、前記第２の制御手段が各オプション装置との通信により検知する各オプション装置の状態に基づいて各オプション装置に対して所定のテスト処理を実行させるべきか否かを判断する判断手段とを有し、前記指定手段は、前記判断手段が前記所定のテスト処理を実行させるべきであると判断した場合に、各オプション装置に対する前記所定のテスト処理のサブスケジュールを前記第２の制御手段に指定するので、各オプション装置の状態に基づくテスト処理を行うことにより、各オプション装置固有の各オプション作動状態を最適化して、予期しないオプション動作を回避することが可能となる。
【手続補正２９】
【補正対象書類名】明細書
【補正対象項目名】０２２１
【補正方法】変更
【補正の内容】
【０２２１】
又、請求項７記載の発明によれば、シートに画像を形成する画像形成装置を有する画像形成システムであって、シートに対するステイプル処理を、ステイプル針を用いて実行する、ステイプル手段と、前記ステイプル手段に対するステイプル針の補充がユーザによりなされた後に、ユーザから所定の指示を受付可能にする入力手段と、前記指示がなされたことに応じて、前記画像形成装置の給紙部から前記シートを搬送させ、該シートに対する所定のステイプル処理を前記ステイプル手段により実行させる制御手段を有するので、ステイプル針を補充した後に正確にステイプル針によるステイプル処理可能な状態にすることができ、本番でステイプル処理をし損ねるといった問題をなくすことができ、前記入力手段の指示に応じたステイプル処理動作は空打ち動作ではなくシートに行うので、ステイプル処理手段内でステイプル針が詰まってしまうことも防止できる。
【手続補正３０】
【補正対象書類名】明細書
【補正対象項目名】０２２２
【補正方法】変更
【補正の内容】
【０２２２】
又、請求項８記載の本発明によれば、シートに画像を形成する画像形成装置を有する画像形成システムであって、シートに対するステイプル処理を、ステイプル針を用いて、実行するステイプル手段と、前記ステイプル手段に対するステイプル針の補充がユーザによりなされたことを検知する検知手段と、前記検知に応じて、前記画像形成装置の給紙部からシートを搬送させ、該シートに対する所定のステイプル処理を前記ステイプル手段に実行させる制御手段と、を有するので、ステイプル針を補充した後に正確にステイプル針によるステイプル処理可能な状態にすることができ、本番でステイプル処理をし損ねるといった問題をなくすことができる。また検知手段の検知に応じた前記ステイプル処理動作は空打ち動作ではなくシートに行うので、ステイプル処理手段内でステイプル針が詰まってしまうことも防止できる。
【手続補正３１】
【補正対象書類名】明細書
【補正対象項目名】０２２３
【補正方法】変更
【補正の内容】
【０２２３】
又、請求項１２記載の本発明によれば、シートに対するステイプル処理を実行可能なステイプル装置及びシートに対する画像形成処理を実行可能な画像形成装置のうちの少なくとも何れかを含む、シートに対する処理が可能なシート処理装置を有するシステムの制御方法であって、入力されたジョブに応じて、前記シート処理装置に対するシート処理の実行指示を少なくとも複数シート分予約する一方で、該ジョブを実行できない場合には、前記予約された指示に基づいたシート処理を前記シート処理装置により実行させるよりも優先して、前記シート処理装置に所定の処理を実行させるので、ジョブが実行できない状態のままで、シート処理装置に前記予約したシート処理を実行させてしまうことを防止することができる。
【手続補正３２】
【補正対象書類名】明細書
【補正対象項目名】０２２４
【補正方法】変更
【補正の内容】
【０２２４】
又、請求項２０記載の本発明によれば、少なくとも画像形成装置を具備する画像形成システムの制御方法であって、外部装置から入力されたジョブに応じた画像形成処理を前記画像形成装置により実行可能とする一方で、前記画像形成装置より所定回数分の画像形成処理を実行した場合、及び、前記画像形成装置より所定回数分のシートジャムが発生した場合の、少なくとも何れかの場合に、前記外部装置から入力されたジョブに基づいた画像形成処理よりも優先して、所定の処理として、前記画像形成装置によりクリーニング処理を実行可能にするので、画像形成装置により汚れた状態で画像形成が実行させることを抑えることが出来る。
【手続補正３３】
【補正対象書類名】明細書
【補正対象項目名】０２２５
【補正方法】変更
【補正の内容】
【０２２５】
又、請求項２２記載の本発明によれば、画像形成装置と、前記画像形成装置からのシートに対するステイプル処理を、ステイプル針を用いて、実行するシート処理装置と、を有する画像形成システムの制御方法であって、前記シート処理装置に対してステイプル針が補充された場合に、所定の処理として、前記画像形成装置からのシートに対して所定回数分のステイプル処理を前記シート処理装置により実行させるので、ステイプル針を補充した後に正確にステイプル針によるステイプル処理可能な状態にすることができ、本番でステイプル処理をし損ねるといった問題をなくすことができ、該ステイプル処理は空打ち動作ではなくシートに行うので、ステイプル処理手段内でステイプル針が詰まってしまうことも防止できる。
【手続補正３４】
【補正対象書類名】明細書
【補正対象項目名】０２２６
【補正方法】変更
【補正の内容】
【０２２６】
又、請求項２３記載の本発明によれば、画像形成装置と、前記画像形成装置からのシートに対するステイプル処理を、ステイプル針を用いて、実行するシート処理装置と、を有する画像形成システムの制御方法であって、外部装置から入力されたジョブに基づいた画像を前記画像形成装置によりシートに形成可能とする一方で、前記シート処理装置に対してステイプル針の補充がなされた場合に、所定の処理として、前記外部装置から入力されたジョブに基づいた画像が形成されていないシートに対して所定回数分のステイプル処理を前記シート処理装置に実行させるので、ステイプル針を補充した後に正確にステイプル針によるステイプル処理可能な状態にすることができ、本番でステイプル処理をし損ねるといった問題をなくすことができ、該ステイプル処理は空打ち動作ではなくシートに行うので、ステイプル処理手段内でステイプル針が詰まってしまうことも防止できる。
【手続補正３５】
【補正対象書類名】明細書
【補正対象項目名】０２２７
【補正方法】削除
【補正の内容】
【手続補正３６】
【補正対象書類名】明細書
【補正対象項目名】０２２８
【補正方法】削除
【補正の内容】
【手続補正３７】
【補正対象書類名】明細書
【補正対象項目名】０２２９
【補正方法】削除
【補正の内容】
【手続補正３８】
【補正対象書類名】明細書
【補正対象項目名】０２３０
【補正方法】削除
【補正の内容】
【手続補正３９】
【補正対象書類名】明細書
【補正対象項目名】０２３１
【補正方法】削除
【補正の内容】
【手続補正４０】
【補正対象書類名】明細書
【補正対象項目名】０２３２
【補正方法】削除
【補正の内容】
【手続補正４１】
【補正対象書類名】明細書
【補正対象項目名】０２３３
【補正方法】削除
【補正の内容】
【手続補正４２】
【補正対象書類名】明細書
【補正対象項目名】０２３４
【補正方法】削除
【補正の内容】
【手続補正４３】
【補正対象書類名】明細書
【補正対象項目名】０２３５
【補正方法】削除
【補正の内容】
【手続補正４４】
【補正対象書類名】明細書
【補正対象項目名】０２３６
【補正方法】削除
【補正の内容】
【手続補正４５】
【補正対象書類名】明細書
【補正対象項目名】０２３７
【補正方法】削除
【補正の内容】
【手続補正４６】
【補正対象書類名】明細書
【補正対象項目名】０２３８
【補正方法】削除
【補正の内容】
【手続補正４７】
【補正対象書類名】明細書
【補正対象項目名】０２３９
【補正方法】削除
【補正の内容】
【手続補正４８】
【補正対象書類名】明細書
【補正対象項目名】０２４０
【補正方法】削除
【補正の内容】
【手続補正４９】
【補正対象書類名】明細書
【補正対象項目名】０２４１
【補正方法】削除
【補正の内容】
【手続補正５０】
【補正対象書類名】明細書
【補正対象項目名】０２４２
【補正方法】削除
【補正の内容】
【手続補正５１】
【補正対象書類名】明細書
【補正対象項目名】０２４３
【補正方法】変更
【補正の内容】
【０２４３】
従って、簡単な構成で接続される各オプション装置の状態に基づくテスト処理を行うことにより各オプション装置固有の各オプション作動状態を最適化して、ユーザが意図するオプション機能を使用した画像形成結果を誤りなく取得することができる等の効果を奏する。